(57)【要約】【課題】プリズムの中心位置を変えることなく仰俯角の変更ができ、測量器の設置箇所の変更にも対応可能な、測量用ターゲットを提供する。【解決手段】プリズムと、円弧部を有する円状フレームと、前記円状フレームに固定し、前記プリズムを保持する保持部材と、前記円状フレームを固定する固定土台と、からなり、前記プリズムは３６０°プリズムであり、前記プリズムは、中心位置が前記円状フレームの円弧部の円弧の中心点と同一となるように、前記保持部材を介して前記円状フレームに固定し、前記円状フレームは、前記固定土台に対して、前記プリズムの中心位置を保持しながら、前記円弧部の円弧に沿って移動可能であることを特徴とする、測量用ターゲット。【選択図】図１
2020098175.tif 000002
【特許請求の範囲】
【請求項１】
プリズムと、
円弧部を有する円状フレームと、
前記円状フレームに固定し、前記プリズムを保持する保持部材と、
前記円状フレームを固定する固定土台と、からなり、
前記プリズムは３６０°プリズムであり、
前記プリズムは、中心位置が前記円状フレームの円弧部の円弧の中心点と同一となるように、前記保持部材を介して前記円状フレームに固定し、
前記円状フレームは、前記固定土台に対して、前記プリズムの中心位置を保持しながら、前記円弧部の円弧に沿って移動可能であることを特徴とする、
測量用ターゲット。
【請求項２】
請求項１に記載の測量用ターゲットにおいて、
前記保持部材は、棒状の部材であり、前記円状フレームの前記円弧部がなす円の半径部分に配置することを特徴とする、
測量用ターゲット。
【請求項３】
請求項１又は２に記載の測量用ターゲットにおいて、
前記保持部材は、前記プリズムを上下方向に貫通、または、前記プリズムの上部と下部に固定する棒状の部材であり、
前記円状フレームの前記円弧部は略半円状であることを特徴とする、
測量用ターゲット。
【請求項４】
請求項１乃至３のいずれか一項に記載の測量用ターゲットにおいて、
前記円状フレームの幅方向の略中央に、前記円弧に沿ったスリットを所定範囲形成し、
前記スリットに軸部を挿通可能な固定ネジを有し、
前記固定土台の頂面に、前記固定ネジを螺合可能なネジ穴を有し、
前記固定ネジを、前記円状フレームの内径側から前記スリットに前記軸部を挿通し、前記固定土台の前記ネジ穴に螺合することにより、前記円状フレームを前記固定土台に固定することを特徴とする、
測量用ターゲット。
【請求項５】
請求項１乃至４のいずれか一項に記載の測量用ターゲットにおいて、
前記円状フレームの幅と同じ間隔で前記円状フレームの移動方向に平行に立設するストッパーを有することを特徴とする、
測量用ターゲット。
【請求項６】
請求項１乃至５のいずれか一項に記載の測量用ターゲットにおいて、
前記円状フレームの側面に角度目盛を設けることを特徴とする、
測量用ターゲット。
【発明の詳細な説明】
【技術分野】
【０００１】
本発明は、測量対象物の測量点に固定する測量用ターゲットに関する。
【背景技術】
【０００２】
構造物を構築する際には、構造物を構築する部材の位置、姿勢について測量を行い、精度を保ちながら施工を行うことが必要である。
測量対象物の測定点には測量用ターゲットを取り付けるが、測量用ターゲットがプリズムであれば、トータルステーションを用いた測量の際に、自動視準、自動追尾を行うことができる。このとき、正確な測量のためにはプリズムは測量器に対して正対する必要がある。
【０００３】
測量対象となる物体の表面にプリズムを取り付ける場合、測量器に正対する方向に向けて取り付けようとすると、プリズムの中心位置のオフセットを計算し、その方向及び量を調整した上で取り付ける必要がある。
プリズムの中心位置を変えることなく取り付けできる治具としては、例えば特許文献１に記載のものが知られている。
【先行技術文献】
【特許文献】
【０００４】
【特許文献１】特開２０１４−１４５６８３号公報
【発明の概要】
【発明が解決しようとする課題】
【０００５】
測量対象物が例えば鉄骨柱である場合、鉄骨柱を地上に寝かせて置かれた状態でプリズムを取り付ける必要があり、鉄骨柱を立て込む位置と測量器の設置箇所に合わせて事前にオフセットを計算し、その計算結果に合わせて、設置予定の測量器に正対する角度にプリズムを調整した上で取り付けなくてはならない。
鉄骨柱を測量する場合においては、オフセットの計算の煩雑さや測量器の急な設置箇所の変更への対応が困難なため、概ね測量用ターゲットとして反射シートが利用される。
しかし、測量用ターゲットとして反射シートを使った場合、トータルステーションの最大の特徴である自動視準、自動追尾ができない。
【０００６】
本発明は、プリズムの中心位置を変えることなく仰俯角の変更ができ、測量器の設置箇所の変更にも対応可能な、測量用ターゲットを提供することを目的とする。
【課題を解決するための手段】
【０００７】
上記課題を解決するためになされた本願の第１発明は、プリズムと、円弧部を有する円状フレームと、前記円状フレームに固定し、前記プリズムを保持する保持部材と、前記円状フレームを固定する固定土台と、からなり、前記プリズムは３６０°プリズムであり、前記プリズムは、中心位置が前記円状フレームの円弧部の円弧の中心点と同一となるように、前記保持部材を介して前記円状フレームに固定し、前記円状フレームは、前記固定土台に対して、前記プリズムの中心位置を保持しながら、前記円弧部の円弧に沿って移動可能であることを特徴とする、測量用ターゲットを提供する。
本願の第２発明は、第１発明の測量用ターゲットにおいて、前記保持部材は、棒状の部材であり、前記円状フレームの前記円弧部がなす円の半径部分に配置することを特徴とする、測量用ターゲットを提供する。
本願の第３発明は、第１又は２発明の測量用ターゲットにおいて、前記保持部材は、前記プリズムを上下方向に貫通、または、前記プリズムの上部と下部に固定する棒状の部材であり、前記円状フレームの前記円弧部は略半円状であることを特徴とする、測量用ターゲットを提供する。
本願の第４発明は、第１乃至第３発明のいずれかの測量用ターゲットにおいて、前記円状フレームの幅方向の略中央に、前記円弧に沿ったスリットを所定範囲形成し、前記スリットに軸部を挿通可能な固定ネジを有し、前記固定土台の頂面に、前記固定ネジを螺合可能なネジ穴を有し、前記固定ネジを、前記円状フレームの内径側から前記スリットに前記軸部を挿通し、前記固定土台の前記ネジ穴に螺合することにより、前記円状フレームを前記固定土台に固定することを特徴とする、測量用ターゲットを提供する。
本願の第５発明は、第１乃至第４発明のいずれかの測量用ターゲットにおいて、前記円状フレームの幅と同じ間隔で前記円状フレームの移動方向に平行に立設するストッパーを有することを特徴とする、測量用ターゲットを提供する。
本願の第６発明は、第１乃至第５発明のいずれかの測量用ターゲットにおいて、前記円状フレームの側面に角度目盛を設けることを特徴とする、測量用ターゲットを提供する。
【発明の効果】
【０００８】
本発明は、上記した課題を解決するための手段により、次のような効果を得ることができる。
（１）円状フレームの円弧の中心点と、プリズムの中心位置は同じ位置であるため、円状フレームを円弧方向に動かしても、プリズムの中心位置は変わらず一定である。
（２）円状フレームを動かして仰俯角を調整しても、プリズムの中心位置が変わらないため、オフセットが一定であり、オフセットの計算が容易である。
（３）ターゲットにプリズムを用いるため、トータルステーションによる自動視準、自動追尾ができる。
（４）プリズムが３６０°プリズムであるため、測量器の設置箇所が現場の都合により変更になったとしても、プリズムに対して所定の仰俯角及び方位角の範囲内であれば、測量を行うことができる。
【図面の簡単な説明】
【０００９】
【図１】本発明の測量用ターゲットの斜視図（１）
【図２】保持部材へのプリズムの固定方法の説明図
【図３】本発明の測量用ターゲットの側面図
【図４】本発明の測量用ターゲットの斜視図（２）
【図５】本発明の測量用ターゲットを取り付けた状態の説明図（１）
【図６】本発明の測量用ターゲットを取り付けた状態の説明図（２）
【図７】実施例２にかかる測量用ターゲットの側面図
【図８】実施例３にかかる測量用ターゲットの側面図
【発明を実施するための形態】
【００１０】
以下、図面を参照しながら本発明の実施の形態について説明する。
【００１１】
［実施例１］
［１］測量用ターゲットの構成
本発明の測量用ターゲットは、プリズム１と、プリズム１を取り付ける保持部材２と、保持部材２を固定する円状フレーム３と、固定土台４と、固定土台４と円状フレーム３を一体とする固定ネジ５と、円状フレーム３と固定土台４との間に配置するフレーム保持材６と、からなる（図１）。
【００１２】
（１）プリズム
プリズム１は、測量器が発振したレーザーを反射するための部材である。
プリズム１は３６０°プリズムであり、任意の方向から入射したレーザー光を入射方向に反射するものである。プリズム１を３６０°プリズムとすることにより、測量器がプリズム１に正対していなくても、プリズム１の中心から所定の仰俯角（例えば−１５°〜１５°）及び方位角（例えば−１１０°〜１１０°）内に測量器があればよい。
本実施例におけるプリズム１は、中心Ｃを上下方向に貫通する貫通孔１１を有し、貫通孔１１に保持部材２を挿通した状態で、プリズム固定ネジ１２を締め付けて保持部材２に固定する（図２）。
【００１３】
（２）保持部材
保持部材２は、プリズム１の中心を上下方向に貫通する棒状の部材である。
保持部材２は、上部２ａをプリズム１の貫通孔１１に挿通できる太さとし、下部２ｂを貫通孔１１よりも太くする。
貫通孔１１の下部から保持部材２の上部２ａを挿通すると、下部２ｂの上端にプリズム１の下部が当接する位置でプリズム１を位置決めすることができる。このとき、プリズム１の中心Ｃから保持部材２の長さ方向の中央（保持部材２の両端までの距離がＬ／２）となるように、上部２ａと下部２ｂの長さを予め設定する。
本実施例においては、プリズム１の貫通孔１１に保持部材２を挿通しているが、プリズム１の上部と下部に保持部材２を別々に取り付けてもよい。このとき、上部と下部の保持部材２は同軸に配置し、プリズム１の中心Ｃからそれぞれの保持部材２の端部までの距離は同一（Ｌ／２）とする。
保持部材２の両端には、保持部材固定ネジ２１を螺合できるネジ穴２２を形成する。
【００１４】
（３）円状フレーム
円状フレーム３は、略半円状の円弧部３１と、円弧部３１の両端から平行に対向するように対称に突設する取付部３２と、を有する部材である。
円状フレーム３は、例えばアルミ削り出し等により形成する。
対向する取付部３２間の距離は、保持部材２の長さＬと同一とする。
取付部３２には、保持部材固定ネジ２１の軸部を挿通する挿通孔３２１を形成する（図１）。そして、プリズム１を固定した保持部材２を取付部３２間に配置し、挿通孔３２１に軸部を挿通した保持部材固定ネジ２１をネジ穴２２に螺合して固定する。
円状フレーム３の幅方向略中央には、円弧部３１の円弧に沿ったスリット３３を所定範囲形成する。
【００１５】
（３．１）保持部材及びプリズムの配置
円状フレーム３に対する保持部材２の固定位置は、円状フレーム３の円弧部３１が一部をなす円の半径部分とする（図３）。
特に、本実施例は、プリズム１の貫通孔１１に保持部材２を挿通するため、保持部材２の固定位置は、円状フレーム３の円弧部３１が一部をなす円の直径部分となる。
プリズム１の中心Ｃが保持部材２の長さ方向の中央であるため、円状フレーム３の円弧部３１の円弧の中心点と、プリズム１の中心Ｃが同じ位置となる。
また、保持部材２を直径部分に固定することにより、円状フレーム３の円弧部３１の略半円形状を保持できる。
保持部材固定ネジ２１を外すことで、保持部材２を円状フレーム３から取り外すことができ、プリズム１が破損した場合等にプリズム１を交換することができる。
【００１６】
（４）固定土台
固定土台４は、プリズム１を取り付けた円状フレーム３を測量対象物に固定する部材である。
固定土台４は、測量対象物が金属製の場合に、底面に励磁して固定できるとともに、消磁して取り外すことができる、励磁、消磁の切り替えが容易なマグネットベースが好適である。ただし、測量対象物がコンクリート製や木製等、強磁性体でない場合には、固定土台４はマグネットベースに限らず、接着剤や釘、ボルト等の固定具を介して適宜固定できる形態とする。
固定土台４の頂面には、固定ネジ５を螺合可能なネジ穴４１を設ける。
【００１７】
（５）固定ネジ
固定ネジ５は、頭部５１と軸部５２からなる。
頭部５１は、円状フレーム３のスリット３３の幅よりも大きく、軸部５２はスリット３３の幅よりも小径とする。
固定ネジ５は、円状フレーム３の内径側からスリット３３に軸部５２を挿通し、固定土台４のネジ穴４１に螺合することにより、円状フレーム３を固定土台４に固定する。
固定ネジ５と円状フレーム３との間には座金５３を設ける。
座金５３は、円状フレーム３に接する面を、円状フレーム３と同じ曲率とする。
【００１８】
（６）フレーム保持材
円状フレーム３と固定土台４の頂面との間には、フレーム保持材６を設ける。
フレーム保持材６は、円状フレーム３の幅と同じ間隔で平行に立設するストッパー６１と、ストッパー６１間を繋ぐ底板６２と、からなる。
ストッパー６１間で円状フレーム３を保持することにより、円状フレーム３の幅方向への動きを抑止する。
底板６２には、ネジ穴４１に対応する貫通孔６３を設ける。
底板６２は、円状フレーム３に接する面を、円状フレーム３と同じ曲率とする。
フレーム保持材６は、接着等により固定土台４と一体とする。また、固定土台４にストッパー６１を突設する構成としてもよい。
【００１９】
（７）仰俯角の調整
円状フレーム３は、固定ネジ５を介して固定土台４に固定する。
固定ネジ５を緩めることにより、固定ネジ５の頭部５１とフレーム保持材６（固定土台４）との間の円状フレーム３を動かすことができる（図４）。
固定ネジ５の軸部５２は、円状フレーム３のスリット３３内に位置する。そして、円状フレーム３は、幅方向への動きをストッパー６１により抑止される。また、座金５３とフレーム保持材６の底板６２は、円状フレーム３に接する面を円状フレーム３と同じ曲率とすることにより、固定ネジ５を締めた際に、座金５３と底板６２が円状フレーム３を面で保持する状態となる。
よって、円状フレーム３はスリット３３を形成した範囲で固定土台４に対して円弧方向に動く。これにより、円状フレーム３に設けたプリズム１の仰俯角を調整することができる。
このとき、円状フレーム３の円弧部３１の円弧の中心点と、プリズム１の中心Ｃは同じ位置であるため、円状フレーム３を円弧方向に動かしても、プリズム１の中央Ｃの位置は変わらず一定である。
【００２０】
［２］測量用ターゲットの使用
（１）測量用ターゲットの固定
現場において寝かせた状態の鉄骨柱等の測量対象物７の測量対象位置に、測量用ターゲットを固定する（図５）。このとき、測量用ターゲットは、測量対象物７を建て込んだときに測量器と正対するように、予め、プリズム１の仰俯角を調整しておく。
本発明の測量用ターゲットは、仰俯角を調整しても、プリズム１の中心Ｃの位置が変わらないためオフセットが一定であり、オフセットの計算は容易である。
測量対象物７が強磁性体の場合、固定土台４をマグネットベースとすることにより、測量用ターゲットを測量対象位置に容易に取り付けることができる。
【００２１】
（２）測量
測量用ターゲットを固定した測量対象物７を建て込む（図６）。
測量対象物７の測定対象位置には、予めプリズム１の仰俯角を設定した測量用ターゲットが固定されており、所定の位置に測量器を配置することで、容易に測量ができる。
また、測量用ターゲットがプリズム１であるため、トータルステーションによる自動視準、自動追尾ができる。
そして、プリズム１が３６０°プリズムであるため、測量器の設置箇所が現場の都合により変更になったとしても、プリズム１に対して所定の仰俯角及び方位角の範囲内であれば、測量を行うことができる。
【００２２】
（３）取り外し
建て込み作業が完了した後、測量用ターゲットを測量対象物７から取り外す。
固定土台４がマグネットベースの場合、固定土台４を消磁して容易に測量用ターゲットを取り外すことができる。
【００２３】
［実施例２］
（１）プリズムの調整角度の確認
円状フレーム３の側面に角度を表示した角度目盛３４を設けることにより、プリズム１の調整角度を目視できる（図７）。
このとき、フレーム保持材６のストッパー６１に切り欠き６４を設けることにより、切り欠き６４内に表示される角度目盛３４をプリズム１の調整角度として容易に確認できる。なお、ストッパー６１を透明・半透明の部材とし、内側の角度目盛３４が透過して視認できる状態としてもよい。
【００２４】
［実施例３］
上記した実施例においてはプリズム１の上下に保持部材２を配置し、保持部材２を円状フレーム３の略半円の半径部分に固定したが、これに限らず、円状フレーム３の円弧部３１の円弧の中心点と、プリズム１の中心Ｃの位置が同一であれば、保持部材２を片持ちで円状フレーム３に固定し、保持部材２にプリズム１を固定してもよい（図８）。このとき、保持部材２は、円状フレーム３の円弧部３１が一部をなす円の半径部分に位置する。
この場合、円状フレーム３の円弧部３１は略半円状である必要はなく、円弧部分があればよい。
また、プリズム１が破損した場合等に、保持部材２を円状フレーム３から取り外すことなく、プリズム１を交換することができる。
【００２５】
なお、上記した実施例１〜３においては、保持部材２を円状フレーム３の円弧部３１が一部をなす円の半径部分としたが、円状フレーム３の円弧部３１の円弧の中心点と、プリズム１の中心Ｃの位置が同一であれば、保持部材２の本数や配置位置は適宜選択できる。
【符号の説明】
【００２６】
１…プリズム、１１…貫通孔、１２…プリズム固定ネジ
２…保持部材、２１…保持部材固定ネジ、２２…ネジ穴
３…円状フレーム、３１…円弧部、３２…取付部、３３…スリット、３４…角度目盛
４…固定土台
５…固定ネジ、５１…頭部、５２…軸部、５３…座金
６…フレーム保持材、６１…ストッパー、６２…底板、６３…貫通孔、６４…切り欠き
７…測量対象物
【図１】
2020098175.tif 000003
【図２】
2020098175.tif 000004
【図３】
2020098175.tif 000005
【図４】
2020098175.tif 000006
【図５】
2020098175.tif 000007
【図６】
2020098175.tif 000008
【図７】
2020098175.tif 000009
【図８】
2020098175.tif 000010